(57)【要約】【課題】製品を製造するのに必要なエネルギー資源を精査するとともに、作業工程を管理することができる作業管理システムを提供する。【解決手段】作業工程を管理する管理サーバと、管理サーバから受信した作業工程の作業図を切り替えるためのスイッチおよび該スイッチの操作が検出された時刻と作業工程の管理識別情報を関連付けて管理サーバへ作業実績情報として送信する制御装置を有する作業端末と、作業場所に配置された作業対象物品に供給される電力を計測し、計測データを管理サーバに送信する計測器とを備え、管理サーバは、受信した作業実績情報と計測データとに基づいて、作業工程の管理識別情報ごとに単位時間あたりの使用電力および作業時間を記憶部に登録し、所定期間内の電力利用の制限値を受理した際に、作業工程の管理識別情報ごとの使用電力および作業時間に基づいて、所定期間内の電力利用の制限値を満たすように作業工程を並べ替える。【選択図】図１４
2014056385.tif 000002
【特許請求の範囲】
【請求項１】
作業工程を管理する管理サーバと、
作業場所に設置され、前記管理サーバから受信した前記作業工程を表示する表示装置、前記表示装置に表示された作業工程を作業者が切り替えるためのスイッチおよび該スイッチの操作が検出された時刻と前記作業工程の管理識別情報を関連付けて作業実績情報として前記管理サーバへ送信する制御装置を有する作業端末と、
前記作業場所に配置された作業対象物品に供給される電力を計測し、該計測された計測データを前記管理サーバに送信する計測器と、を備え、
前記管理サーバは、
受信した前記作業実績情報と前記計測データとに基づいて、前記作業工程の管理識別情報ごとに単位時間あたりの使用電力および作業時間を記憶部に登録し、
所定期間内の電力利用の制限値を受理した際に、前記作業工程の管理識別情報ごとの前記使用電力および前記作業時間に基づいて、前記所定期間内の電力利用の制限値を満たすように、前記作業工程を並べ替える
ことを特徴とする作業管理システム。
【請求項２】
前記管理サーバは、前記作業工程を並べ替えしたのち、前記作業端末より、同じ作業工程を含む作業内容の作業開始指示があった際に、前記並べ替えした作業工程の情報を前記作業端末に送信する
ことを特徴とする請求項１に記載の作業管理システム。
【請求項３】
前記作業工程は、品証工程に係る作業工程である
ことを特徴とする請求項１に記載の作業管理システム。
【請求項４】
前記作業端末の前記制御装置は、前記スイッチの操作を検知したとき、前記作業工程の管理識別情報と、前記スイッチの操作を検知した時刻とを関連付けて作業終了情報として前記管理サーバに送信し、
前記管理サーバは、前記作業終了情報を受信すると、前記作業終了情報を前記記憶部に記録し、前記記憶部に記録された直前の前記作業終了情報に含まれる時刻から今回受信した前記作業終了情報に含まれる時刻までの作業時間を算出し、前記計測データに基づいて直前の前記作業終了情報に含まれる時刻から今回受信した前記作業終了情報に含まれる時刻までの使用電力を算出し、前記算出された作業時間と前記算出された使用電力とを、前記作業工程の管理識別情報に関連付けて前記記憶部に登録する
ことを特徴とする請求項１に記載の作業管理システム。
【請求項５】
前記作業端末は、さらに、
作業対象物品の作業内容を特定する情報が書き込まれた作業特定用ＩＣタグを置くＩＣタグ置場に付設され、そのＩＣタグ置場に置かれたＩＣタグの情報を読み取るＩＣタグ読取装置を備え、
前記作業端末は、前記作業特定用ＩＣタグが添付された指図が前記ＩＣタグ置場に載置された場合、前記作業特定用ＩＣタグとの通信を確認すると前記管理サーバに作業開始の旨を通知し、前記載置された指図が前記ＩＣタグ置場から除去された場合、前記作業特定用ＩＣタグとの通信の断絶を確認すると前記管理サーバに作業終了の旨を通知し、
前記管理サーバは、前記作業端末から通知を受けた際、前記指図ごとに、作業開始時刻を、前記作業開始の旨の通知に含まれる時刻に基づき決定し、作業終了時刻を、前記作業終了の旨の通知に含まれる時刻に基づき決定し、前記作業開始時刻および前記作業終了時刻を指図ごとに記憶部に記録し、前記指図ごとの作業が終了した場合、前記記憶部に記録された作業開始時刻および作業終了時刻に基づいて作業時間を算出し、前記計測データに基づいて作業開始時刻から作業終了時刻までの使用電力を算出し、前記算出された作業時間と前記算出された使用電力とを関連付けて、記憶部に登録する
ことを特徴とする請求項１に記載の作業管理システム。
【請求項６】
作業工程を管理する管理サーバと、
作業場所に設置され、前記管理サーバから受信した前記作業工程を表示する表示装置、前記表示装置に表示された作業工程を作業者が切り替えるためのスイッチ、および該スイッチの操作が検出された時刻と前記作業工程の管理識別情報を関連付けて作業実績情報として前記管理サーバへ送信する制御装置を有する作業端末と、
前記作業場所に配置された作業対象物品に供給されるエネルギーを計測し、該計測された計測データを前記管理サーバに送信する計測器と、を備え、
前記管理サーバは、
受信した前記作業実績情報と前記計測データとに基づいて、前記作業工程の管理識別情報ごとに、エネルギー消費原単位として単位時間あたりの使用電力を算出するとともに、前記作業工程の作業時間を算出して記憶部に登録し、
所定期間内のエネルギー利用の制限値を受理した際に、前記作業工程の管理識別情報ごとの前記エネルギー消費原単位と前記作業時間とに基づいて、前記所定期間内のエネルギー利用の制限値を満たすように、前記作業工程を並べ替える
ことを特徴とするエネルギー管理システム。
【請求項７】
前記作業端末の前記制御装置は、前記スイッチの操作を検知したとき、前記作業工程の管理識別情報と、前記スイッチの操作を検知した時刻とを関連付けて作業終了情報として前記管理サーバに送信し、
前記管理サーバは、前記作業終了情報を受信すると、前記作業終了情報を前記記憶部に記録し、前記記憶部に記録された直前の前記作業終了情報に含まれる時刻から今回受信した前記作業終了情報に含まれる時刻までの作業時間を算出し、前記計測データに基づいて直前の前記作業終了情報に含まれる時刻から今回受信した前記作業終了情報に含まれる時刻までの使用電力を算出し、前記算出された作業時間と前記算出された使用電力とを、前記作業工程の管理識別情報に関連付けて前記記憶部に登録する
ことを特徴とする請求項６に記載のエネルギー管理システム。
【発明の詳細な説明】
【技術分野】
【０００１】
本発明は、作業端末から作業実績のデータを収集し、作業実績のデータを管理するとともに作業工程を管理する管理サーバを備えた作業管理システムおよびエネルギー管理システムに関する。
【背景技術】
【０００２】
作業実績のデータである作業時間を特定する方法として、例えば、作業者が携帯する作業者特定用ＩＣ（Integrated Circuit）タグをＩＣタグ読取装置で読み取り、作業対象物品を特定する作業対象物特定用ＩＣタグをＩＣタグ読取装置で読み込む。その読み取った情報に、作業エリアを特定する情報を付加して実績管理ＣＰＵ（Central Processing Unit）へ送信し、かつ、各作業エリアに設置されている作業設備の稼動時間情報を作業設備の作業設備制御装置によって実績管理ＣＰＵへ送信して作業時間を特定するようにする方法の発明が開示されている（例えば、特許文献１参照）。
【０００３】
また、作業対象物品の作業内容を特定する情報が書き込まれた作業特定用ＩＣタグと、作業特定用ＩＣタグを作業時に投入する投入口を有する作業管理ボックスと、作業管理ボックスの側面に付設され、作業特定用ＩＣタグを読み取り、その読み取った情報を作業実績管理装置へ送信するＩＣタグ読取装置とを備える作業実績収集システムが開示されている（例えば、特許文献２参照）。
【先行技術文献】
【特許文献】
【０００４】
【特許文献１】特開２００５−１８２６５６号公報
【特許文献２】特開２００７−３２８６６５号公報
【発明の概要】
【発明が解決しようとする課題】
【０００５】
特許文献１に記載されたＩＣタグ読取装置は、その読み取った情報を送信するとともに、作業設備制御装置によって作業設備の稼動時間情報を実績管理ＣＰＵへ送信している。
【０００６】
また、特許文献２に記載されたＩＣタグ読取装置も、無線ＬＡＮ用の通信機から作業実績管理装置に、作業特定用ＩＣタグとの通信開始情報と、作業対象物品の作業内容を特定する情報とを送信する。通信開始情報には、作業管理ボックスのＩＤ（IDentification）、作業開始時刻がある。作業対象物品の作業内容を特定する情報には、例えば、ワークオーダＮｏ、製造する製品・半製品の品名または型番、製作員数があるとしている。
【０００７】
競争力ある製品を市場に出すには、製造する製品についての価格設定をさらに厳しく行う必要がある。そのためには、製品を生産するのに必要なアセット（経営資源）を、これまで以上に精査することが望まれている。前記特許文献１および特許文献２により、経営資源として、人、場所、時間、作業設備について、管理することができるが、その製品を製造するのに必要なエネルギー資源が十分に考慮されていないという問題がある。
【０００８】
本発明は、前記の課題を解決するための発明であって、製品を製造するのに必要なエネルギー資源を精査するとともに、作業工程を管理することができる作業管理システムおよびエネルギー管理システムを提供することを目的とする。
【課題を解決するための手段】
【０００９】
前記目的を達成するため、本発明の作業管理システムは、作業工程を管理する管理サーバと、作業場所（例えば、試験設備エリア５０）に設置され、管理サーバから受信した作業工程を表示する表示装置、表示装置に表示された作業工程を作業者が切り替えるためのスイッチおよび該スイッチの操作が検出された時刻と作業工程の管理識別情報を関連付けて作業実績情報として管理サーバへ送信する制御装置を有する作業端末と、作業場所に配置された作業対象物品（例えば、ＵＰＳ６０）に供給される電力を計測し、該計測された計測データを管理サーバに送信する計測器と、を備え、管理サーバは、受信した作業実績情報と計測データとに基づいて、作業工程の管理識別情報ごとに単位時間あたりの使用電力および作業時間を記憶部に登録し、所定期間内の電力利用の制限値を受理した際に、作業工程の管理識別情報ごとの使用電力および作業時間に基づいて、所定期間内の電力利用の制限値を満たすように、作業工程を並べ替えることを特徴とする。
【００１０】
また、管理サーバは、作業工程を並べ替えしたのち、作業端末より、同じ作業工程を含む作業内容の作業開始指示があった際に、並べ替えした作業工程の情報を作業端末に送信することを特徴とする。
【発明の効果】
【００１１】
本発明によれば、製品を製造するのに必要なエネルギー資源を精査するとともに、作業工程を管理することができる。
【図面の簡単な説明】
【００１２】
【図１】本発明に係る実施形態１の作業管理システムを示す構成図である。
【図２】試験設備エリアの一例を示す外観斜視図である。
【図３】ＵＰＳの内部回路の一例を示す説明図である。
【図４】作業管理システムの手順を示すフローチャートである。
【図５】管理サーバの記憶部に記録された作業実績収集データを示す説明図である。
【図６】作業実績収集結果の一例を示す説明図である。
【図７】本発明に係る実施形態２の作業管理システムを示す構成図である。
【図８】実施形態２の管理サーバの記憶部に記録された作業実績収集データを示す説明図である。
【図９】作業管理システムの作業実績収集方法を示す説明図である。
【図１０】管理サーバの記憶部に記録された工程別作業の作業実績収集データを示す説明図である。
【図１１】ＵＰＳ性能特性用形式試験の試験項目を示す説明図である。
【図１２】ＵＰＳ工場立会試験の試験項目を示す説明図である。
【図１３】電力利用制限値に基づく作業工程の並べ替えを示すフローチャートである。
【図１４】電力利用制限値に基づく作業工程の並べ替えを示す説明図である。
【図１５】電力利用制限値に基づく作業工程の並べ替えの調整を示す説明図である。
【発明を実施するための形態】
【００１３】
以下、本発明の実施形態について図面を参照して詳細に説明する。製造に必要なエネルギー資源としては、電力量、ガス量、水量など各種あるが、電力装置の製造部門、特にＵＰＳ（Uninterruptible Power Supply、無停電電源装置）の製品を例として、電力量との関係について説明する。
【００１４】
ＵＰＳの組立工程では、主として前述した経営資源として、人、場所、時間、作業設備が重要な因子となるが、検査工程（品証工程）になると、経営資源として電力量、ピーク値が特に重要な因子となる。本実施形態では、必要なエネルギー原単位情報（製品ごとの試験使用電力量、ピーク値）を蓄積し、原単位データの精度向上につなげることを狙いとしている。また、以下の実施形態では、検査工程を例としてあげているが、組立工程に組み込まれたインライン検査工程であっても、エネルギー資源の精査が必要な工程であればよい。
【００１５】
なお、エネルギー原単位とは、エネルギー効率を表す値であり、単位量の製品や額を生産するのに必要な電力・熱（燃料）などエネルギー消費量の総量のことである。
【００１６】
《実施形態１》
図１は、本発明に係る実施形態１の作業管理システムを示す構成図である。作業管理システムＳは、試験設備エリア５０（作業場所）に設置された作業端末１０と、作業端末１０から作業実績を収集し作業実績を管理するとともに、作業工程を管理する管理サーバ２０と、計測器３０と、指図発行端末４０とを備えている。作業端末１０、管理サーバ２０、計測器３０、および指図発行端末４０は、ＬＡＮ(Local Area Network)などのネットワーク９０で接続されている。
【００１７】
管理サーバ２０は、処理部２１と記憶部２２とを有し、処理部２１には、作業端末１０から作業実績を収集する作業実績収集部２１１と、所定期間のエネルギー制限値（例えば、電力制限値）を受理した場合、該所定期間内のエネルギー制限値内で、作業工程の並べ替えを行う作業工程管理部２１２を備えている。また、管理サーバ２０は、試験設備エリア５０に供給される電力について、計測器３０を介して使用実績を収集している。
【００１８】
ＵＰＳの検査試験場は、図１に示すように、複数の試験設備エリア５０を有しており、組立工程を終了した製品である作業対象物品（検査対象物品）であるＵＰＳ６０（ＵＰＳ１、ＵＰＳ２、…、ＵＰＳｎ）が、試験設備エリア５０の電源引き込み線５２と、負荷試験器５１との間に設置される。検査員は、予め設定されている試験項目について、ＵＰＳ６０の試験を実施し合否判定をする。
【００１９】
指図発行端末４０は、ＳＵＢ（サブ）組立工程、組立工程、検査工程（品証工程）などにおいて、指図７０を発行する端末である。検査工程においては、管理サーバ２０の記憶部２２に、検査品を登録する。検査品の登録とは、総組立を終了した製品の品番、型式、固体識別番号などが付与されているのであれば、これを登録する。
【００２０】
指図発行端末４０は、図示していないが処理部、入力部、表示部、ＩＣタグリーダライタ、およびプリンタを備え、処理部は、検査工程を実施するための指図７０を発行する指図発行部４１、ＩＣタグを発行するタグ発行部４２を有し、指図発行部４１の指示により、指図７０をプリンタにて出力する。また、タグ発行部４２は、ＩＣタグリーダライタに、指図発行部４１の指示を受けて、作業対象物品の作業内容を特定する情報を作業特定用ＩＣタグ７１に書き込む。作業対象物品の作業内容を特定する情報とは、例えば、指図Ｎｏ、製品の品番、型式、固体識別番号、検査項目などである。作業特定用ＩＣタグ７１は、ＲＦＩＤ（Radio frequency identification）などの非接触の無線用ＩＣタグを使用し、指図７０の書類に添付される。
【００２１】
作業端末１０は、ＬＡＮ用の通信機１１、表示装置１４に表示された検査図の画面を切り換える指示をするソフトキーのスイッチ１３、ＩＣタグ置場１５ａに付設され、そのＩＣタグ置場１５ａに置かれたＩＣタグの情報を読み取るＩＣタグリーダライタ１５（ＩＣタグ読取装置）と、ＩＣタグリーダライタ１５が読み取った情報を、通信機１１を介して管理サーバ２０へ送信する制御装置１２とを有している。
【００２２】
制御装置１２は、ＵＰＳ６０および負荷試験器５１を制御する機能を有しており、試験項目に従い、ＵＰＳ６０内の各開閉器（図３参照）を制御することができる。
【００２３】
ＩＣタグ置場１５ａには、前述した作業対象物品の作業内容を特定する情報が書き込まれた作業特定用ＩＣタグ７１が添付された指図７０、作業者を特定する情報が書き込まれた作業者特定用ＩＣタグ８１が添付された社員証８０などを置くことができる。
【００２４】
ＩＣタグリーダライタ１５は、ＩＣタグ置場１５ａに指図７０が載置された際、作業特定用ＩＣタグ７１との通信を確認すると、指図７０に添付されている作業特定用ＩＣタグ７１の情報を読み取り、制御装置１２を介して、作業特定用ＩＣタグ７１との通信開始情報と、作業対象物品の作業内容を特定する情報とを送信する。通信開始情報とは、指図７０の作業開始情報（作業開始の旨の情報）を意味する。
【００２５】
また、ＩＣタグリーダライタ１５は、ＩＣタグ置場１５ａから、指図７０が除去された際、作業特定用ＩＣタグ７１との通信の断絶を確認すると、制御装置１２を介して、作業特定用ＩＣタグ７１との通信終了情報と、作業対象物品の作業内容を特定する情報とを送信する。通信終了情報とは、指図７０の作業終了情報（作業終了の旨の情報）を意味する。
【００２６】
制御装置１２は、ＩＣタグリーダライタ１５から受信した作業対象物品の作業内容を特定する情報を、表示装置１４に表示する。
【００２７】
また、制御装置１２は、作業開始情報を管理サーバ２０へ送信し（図４のステップＳ２０３参照）、管理サーバ２０から詳細な指図情報を受信する（図４のステップＳ３０２参照）。詳細な処理内容については後記する。なお、指図情報は、指図７０に基づいて作業者が行う複数の頁画面を含んでいる。
【００２８】
制御装置１２は、指図情報に基づいて、表示装置１４に頁画面を表示する。検査員は、表示された内容を確認し、表示された検査項目に従い、ＵＰＳ６０および負荷試験器５１に対し制御指令をする。試験項目の終了後、検査員は、表示装置１４に表示されている制ソフトキーのスイッチ１３を押す。すると、制御装置１２は、頁作業終了情報（頁作業終了の旨の情報）を、管理サーバ２０に送信する。また、制御装置１２は、スイッチ１３の信号を受信すると、表示装置１４に、次の頁画面を表示する。さらに、制御装置１２は、頁作業終了情報を、通信機１１を介して管理サーバ２０に送信する。
【００２９】
なお、ここでは、頁画面に従い各検査項目の終了後に、頁作業終了情報を管理サーバ２０に送信しているが、ひとつの試験設備エリア５０での試験工程が全て終了してから、管理サーバ２０に送信してもよい。
【００３０】
管理サーバ２０は、ネットワーク９０に接続された管理端末ＭＴからの要求により、各種作業実績表を作成することができる。管理サーバ２０の処理部２１（例えば、作業実績収集部２１１）が作成し、記憶部２２に格納した作業工程の作業実績について、管理端末ＭＴは、監視項目別に検索することにより、作業状況を可視化し、コストの発生原因を分析するために用いる端末である。なお、管理端末ＭＴは、通信機能を有するＰＣなどを用いるとよい。
【００３１】
計測器３０は、図示していないが、処理部、記憶部、表示部、通信部を有し、電源引き込み線５２の電力をワット（Ｗ、実効電力）単位でリアルタイムに測定することができる。測定項目としては、電圧（Ｖ）、電流（Ａ）、皮相電力（ＶＡ）、周波数（Ｈｚ）、力率（ＰＦ）、積算電力量（ｋＷｈ）、積算時間（Ｈ）も測定可能である。処理部は、測定情報を記憶部に格納する。処理部は、所定時間ごとに、記憶部に格納されている計測データを計測器識別情報と関連付けて管理サーバ２０に、通信部を介して送信する。ネットワーク９０の回線容量により、リアルタイムに計測データを管理サーバ２０に送信してもよい。また、計測器３０には、表示部に各測定項目の状態を表示することができる。
【００３２】
なお、図１においては、作業端末１０は、通信機１１、制御装置１２、表示装置１４などで構成していると説明したが、表示装置１４をタブレットＰＣ（Personal Computer）とし、タブレットＰＣの作業端末１０ａ（図２参照）として、通信機１１、制御装置１２、表示装置１４、の機能を含めてもよい。
【００３３】
図２は、試験設備エリアの一例を示す外観斜視図である。ＵＰＳ６０は、ＵＰＳ本体６１と蓄電池部６２から構成される。ＵＰＳ本体６１には、電源引き込み線５２から電力ケーブルが交流入力部に接続され、ＵＰＳ本体６１と蓄電池部６２とは、電力ケーブルが接続される。また、ＵＰＳ本体６１の交流出力部から電力ケーブルを介して、負荷試験器５１に接続されている。作業端末１０ａは、ＵＰＳ本体６１と蓄電池部６２とは、制御線、計測線で接続されている。
【００３４】
図２に示すＵＰＳ６０は、データセンタの電源用であり、概略５００ｋＶＡ用を示している。具体的に説明すると、交流入力は、定格電圧４１５Ｖ、三相３線式であり、許容電圧変動範囲は±１０％以内である。また、交流出力は、定格電圧４１５Ｖ、三相３線式であり、許容電圧変動範囲は±５％以内である。データセンタの規模に応じて、ＵＰＳ６０を並列に接続し、電源容量を増やすことができる。
【００３５】
図３は、ＵＰＳの内部回路の一例を示す説明図である。図３に示すＵＰＳ本体６１は、常時インバータ給電方式のものである。ＵＰＳ本体６１は、内部に交流を直流に変換するコンバータ６３、直流を交流に変換するインバータ６４、複数の開閉器などを有している。説明においては、開閉器の制御は省略する。
【００３６】
通常時は、交流入力からコンバータ６３を介して、直流入力を介して蓄電池部６２に充電するとともに、インバータ６４を介して、交流出力に出力している。瞬時停電時には、直流入力からインバータ６４を介して交流出力に出力される。ＵＰＳ６０の停止時には、交流入力からバイパス回路６５を介して交流出力に出力される。また、ＵＰＳ６０は、保守用の保守バイパス回路６６も有している。
【００３７】
次に、作業管理システムＳの作業実績収集処理について、図４を参照して説明する。
図４は、作業管理システムの作業実績収集処理を示すフローチャートである。適宜図１を参照して説明する。作業エリアの作業者は、最初に作業者特定用ＩＣタグ８１（作業者タグ）が添付された社員証８０をＩＣタグ置場１５ａに置く。すると、ＩＣタグリーダライタ１５は作業者タグの載置を検知できたか否かを判定し（ステップＳ２０１）、作業者タグの載置が検知された場合（ステップＳ２０１，Ｙｅｓ）、ステップＳ２０２に進み、作業者タグの載置が検知されない場合（ステップＳ２０１，Ｎｏ）、ステップＳ２０１に戻る。なお、例えば、作業者である検査員が、その日の午前中にその作業エリアを担当する際は、その日の午前中の間は載置しておくとよい。
【００３８】
作業者は、ＵＰＳ６０の検査を開始する際に、作業特定用ＩＣタグ７１（指図タグ）が添付された指図７０を、作業台の上部に設置されているＩＣタグ置場１５ａに置く。すると、ＩＣタグリーダライタ１５は指図タグの載置を検知できたか否かを判定し（ステップＳ２０２）、指図タグの載置が検知された場合（ステップＳ２０２，Ｙｅｓ）、ステップＳ２０３に進み、指図タグの載置が検知されない場合（ステップＳ２０２，Ｎｏ）、ステップＳ２０２に戻る。なお、ステップＳ２０１、ステップＳ２０２の判定は、順序が入れ替わってもよい。
【００３９】
ＩＣタグリーダライタ１５は、作業特定用ＩＣタグ７１から指図識別情報を読み取り、さらに作業者特定用ＩＣタグ８１から作業者識別情報を読み取り、制御装置１２において、作業開始情報を生成し、管理サーバ２０に送信する（ステップＳ２０３）。
【００４０】
管理サーバ２０は、受信したデータに基づいて作業開始情報を記憶部２２に記録する（ステップＳ３０１）。
【００４１】
管理サーバ２０は、指図７０の検査指示情報（頁識別情報である頁ＩＤごとに対応する作業指示画面）を含む指図情報を作業端末１０に送信する（ステップＳ３０２）。
【００４２】
作業端末１０の制御装置１２は、指図情報を受信すると、１頁目の作業指示画面（頁画面）を表示する（ステップＳ２０４）。
【００４３】
そして、作業端末１０の制御装置１２は、スイッチ１３の押下があるか否かを判定する（ステップＳ２０５）。制御装置１２は、スイッチ１３の押下を検知すると（ステップＳ２０５，Ｙｅｓ）、頁作業終了の情報を、管理サーバ２０に送信し（ステップＳ２０６）、次の頁の作業画面に更新を行い（ステップＳ２０７）、ステップＳ２０４に戻る。
【００４４】
管理サーバ２０は、受信したデータに基づいて頁作業終了情報を記憶部２２に記録する（ステップＳ３０３）。
【００４５】
ステップＳ２０５において、制御装置１２が、スイッチ１３の押下を検知できない場合（ステップＳ２０５，Ｎｏ），ＩＣタグリーダライタ１５は、ＩＣタグ置場１５ａから指図７０の除去を検知できたか否かを判定し（ステップＳ２０８）、指図７０の除去が検知された場合（ステップＳ２０８，Ｙｅｓ）、制御装置１２は、管理サーバ２０に、作業特定用ＩＣタグ７１との通信終了情報（作業終了情報）を送信し（ステップＳ２０９）、処理を終了する。一方、指図７０の除去が検知されない場合（ステップＳ２０８，Ｎｏ）、ステップＳ２０５に戻る。
【００４６】
管理サーバ２０は、受信したデータに基づいて作業終了情報を記憶部２２に記録し（ステップＳ３０４）、一連の処理を終了する。
【００４７】
なお、管理サーバ２０が記録する作業開始情報および作業終了情報と、計測器３０の計測データとの関係を、図５を参照して説明する。
【００４８】
図５は、管理サーバの記憶部に記録された作業実績収集データを示す説明図である。適宜図１を参照して説明する。図５の行５０１は、試験設備１（図１のＵＰＳ１の試験設備エリア５０に対応）の計測器３０による計測データの実績を示し、行５０２は、指図７０が試験設備１の作業端末１０のＩＣタグリーダライタ１５に載置されていた期間、特に作業開始時刻、作業終了時刻を示している。同様に、行５０３は、試験設備２（図１のＵＰＳ２の試験設備エリア５０に対応）の計測器３０による計測データの実績を示し、行５０２は、指図７０が試験設備２の作業端末１０のＩＣタグリーダライタ１５に載置されていた期間、特に作業開始時刻、作業終了時刻を示している。行５９９は、試験エリア全体（ＵＰＳ６０の検査試験場全体）の電力使用状況を示している。
【００４９】
図５においては、説明をわかりやすくするため、横軸に時間を示し、行５０１，５０２などの使用電力のひとつの升目は、５分間の平均電力である。電力量としてみるときは、ひとつの升目は
５００（ｋＷ）×３００（ｓ）／３６００（ｓ／ｈ）≒４１．７ｋＷｈ
となる。
【００５０】
具体的に説明すると、行５０２の指図ＩＤがＵＰＳ０１００１の場合、９時４５分に作業を開始し、１０時３５分に作業を終了している。このときの使用電力は、行５０１を参照すると、５００ｋＷからピーク時に１０００ｋＷを使用している。行５０２の指図ＩＤがＵＰＳ０１００２の場合、１０時５０分に作業を開始し、１０時３５分に作業を終了している。このときの使用電力は、行５０１を参照すると、５００ｋＷからピーク時に１０００ｋＷを使用している。行５０２の指図ＩＤがＵＰＳ０１００３の場合、１２時４５分に作業を開始し、１３時３５分に作業を終了している。このときの使用電力は、行５０１を参照すると、５００ｋＷからピーク時に１０００ｋＷを使用している。
【００５１】
また、行５０４の指図ＩＤがＵＰＳ０２００１の場合、９時５０分に作業を開始し、１０時４０分に作業を終了している。このときの使用電力は、行５０３を参照すると、使用電力が０ｋＷとなっている。行５０４の指図ＩＤがＵＰＳ０２００２の場合、１０時５５分に作業を開始し、１１時３５分に作業を終了している。このときの使用電力は、行５０３を参照すると、５００ｋＷからピーク時に１０００ｋＷを使用しているが、１０００ｋＷの継続時間が長いことがわかる。行５０４の指図ＩＤがＵＰＳ０２００３の場合、１３時３５分に作業を開始し、現在試験中であることがわかる。指図ＩＤがＵＰＳ０２００３の場合、作業開始前に５００ｋＷで１０分間使用されていることがわかる。
【００５２】
電力会社との契約で、デマンドを監視するときは、行５９９に示す合計の使用電力について、例えば、毎正時から３０分間、毎３０分時からの３０分間の電気の使用量の平均使用電力（ｋＷ）を算出し、契約時の３０分間ごとの消費電力（３０分デマンド値）を超えないように監視するとよい。
【００５３】
図６は、作業実績収集結果の一例を示す説明図である。作業実績収集結果のデータ表２５は、指図７０ごとの作業内容をまとめたものであり、図１の記憶部２２に格納されている。データ表２５は、指図ＩＤ、作業開始時刻、作業終了時刻、作業時間、場所ＩＤ、作業者ＩＤ、関連計測ＩＤなどの項目を含んで構成される。
【００５４】
具体的に説明すると、行２５１は、指図ＩＤがＵＰＳ０１００１の場合であり、９時４５分に作業を開始し、１０時３５分に作業を終了している。作業時間は５０分、作業場所ＩＤはＬ０００１、作業者ＩＤはＭ０００１であることがわかる。また、関連計測ＩＤはＤ０００１であり、データ表２５の該当セルをクリックすると、図５に示した指図ＩＤがＵＰＳ０１００１の計測器３０による実績図が表示される。実績図は、該当する指図７０の作業開始時刻から作業終了時刻を含む所定時間内の図を表示するとよい。これにより、該当する作業前後の使用実績も把握することができる。
【００５５】
管理サーバ２０は、管理端末ＭＴの表示部に図６を表示した際、計測値に異常などがあると見られる場合、該当するデータ表２５のセルに、異常がある旨を点滅などで告知する。例えば、図６の行２５２中のセル２５８を、管理者がクリックすると、図５の行５０３の指図ＩＤがＵＰＳ０２００１の計測器３０による実績図が表示され、電力が使用されていないことがわかる。また、図６の行２５６中のセル２５９を、管理者がクリックすると、図５の行５０３の指図ＩＤがＵＰＳ０２００３の計測器３０による実績図が表示され、作業の開始前に電力が使用されていることがわかる。
【００５６】
図６のデータ表２５は、エネルギー原単位情報として、指図７０ごとに原単位変換用実測値となる使用電力量、ピーク値などを含めてもよい。具体的には、処理部２１が、作業工程で発生する作業コストの演算処理指令を受けた場合、または、指図７０の作業が終了した時点において、指図７０ごとに、計測データに基づいて作業開始時刻から作業終了時刻までの電力量（使用電力量）、ピーク値などを算出し、作業時間と関連付けて算出された電力量、ピーク値などを登録するとよい。
【００５７】
管理サーバ２０の処理部２１は、算出された作業時間に対し、算出された使用電力量が所定範囲にない場合、作業内容に不具合がある旨を、管理端末ＭＴに通知するとよい。また、管理サーバ２０の処理部２１は、作業開始時刻および作業終了時刻に基づく作業時間帯以外の時間帯に使用電力がある際に、作業内容に不具合がある旨を、管理端末ＭＴに通知するとよい。
【００５８】
前記のような作業内容に不具合がある旨の通知をすることにより、管理者はいち早く作業内容の異常を知ることができる。
【００５９】
《実施形態２》
図７は、本発明に係る実施形態２の作業管理システムを示す構成図である。図７に示す構成は、図１に示す構成に対して、負荷開閉器３１を設けた場合である。負荷開閉器３１のＯＮ／ＯＦＦ指令（投入指令／遮断指令）が、指図７０のＩＣタグリーダライタ１５の載置、除去と連動させている。これにより、製品に必要な原単位情報である電力に使用量をさらに精度よく管理することができる。なお、図１と同一部分の説明は、省略する。
【００６０】
ＩＣタグリーダライタ１５は、ＩＣタグ置場１５ａに指図７０が載置された際、作業特定用ＩＣタグ７１との通信を確認すると、指図７０に添付されている作業特定用ＩＣタグ７１の情報を読み取り、制御装置１２を介して、作業特定用ＩＣタグ７１との通信開始情報と、作業対象物品の作業内容を特定する情報とを管理サーバ２０に送信する。なお、通信開始情報には、作業端末１０の識別情報が含まれている。
【００６１】
管理サーバ２０は、作業端末１０から通信開始情報を受信すると、受信した作業端末１０に対応する負荷開閉器３１に対してＯＮ指令をする。
【００６２】
また、ＩＣタグリーダライタ１５は、ＩＣタグ置場１５ａから、指図７０が除去された際、作業特定用ＩＣタグ７１との通信の断絶を確認すると、制御装置１２を介して、作業特定用ＩＣタグ７１との通信終了情報と、作業対象物品の作業内容を特定する情報とを管理サーバ２０に送信する。なお、通信終了情報には、作業端末１０の識別情報が含まれている。
【００６３】
管理サーバ２０は、作業端末１０から通信終了情報を受信すると、受信した作業端末１０に対応する負荷開閉器３１に対してＯＦＦ指令をする。
【００６４】
図８は、実施形態２の管理サーバの記憶部に記録された作業実績収集データを示す説明図である。図８については図５との相違点について説明する。
【００６５】
具体的に説明すると、行５０２の指図ＩＤがＵＰＳ０１００１の場合、９時４５分に作業を開始し、そのときに負荷開閉器３１に対してＯＮ指令されている。同様に、１０時３５分に作業を終了し、そのときに負荷開閉器３１に対してＯＦＦ指令されている。指図７０が、ＩＣタグリーダライタ１５に載置されていない状態では、負荷開閉器３１は遮断状態であるので、検査作業に使用する電力を厳密に管理することができる。すなわち、行５０４の指図ＩＤがＵＰＳ０２００３の場合、１３時３５分に作業を開始しているが、作業開始前に電力は使用されていない（符号５０３ａ参照）。
【００６６】
本実施形態の作業管理システムＳは、作業実績を収集し、作業実績を管理する管理サーバ２０と、作業エリア（例えば、試験設備エリア５０）に配置された作業対象物品（例えば、ＵＰＳ６０）に開閉器（例えば、負荷開閉器３１）を介して供給される電力を計測し、該計測された計測データを管理サーバ２０に送信する計測器３０と、作業エリアの近傍に設置されており、作業対象物品の作業内容を特定する情報が書き込まれた作業特定用ＩＣタグ７１を置くＩＣタグ置場１５ａに付設され、そのＩＣタグ置場１５ａに置かれたＩＣタグの情報を読み取るＩＣタグ読取装置（例えば、ＩＣタグリーダライタ１５）およびＩＣタグ読取装置が読み取った情報を管理サーバ２０へ送信する制御装置１２を有する作業端末１０とを備える。
【００６７】
作業端末１０は、作業特定用ＩＣタグ７１が添付された指図７０がＩＣタグ置場１５ａに載置された場合、作業特定用ＩＣタグ７１との通信を確認すると管理サーバ２０に作業開始の旨を通知し、載置された指図７０がＩＣタグ置場１５ａから除去された場合、作業特定用ＩＣタグ７１との通信の断絶を確認すると管理サーバ２０に作業終了の旨を通知する。
【００６８】
管理サーバ２０の処理部２１は、作業端末１０から作業開始の旨の通知を受けた際、開閉器（例えば、負荷開閉器３１）に投入指令をし、作業端末１０から作業終了の旨の通知を受けた際、開閉器に遮断指令をする。管理サーバ２０の処理部２１は、計測器３０からの計測データを、記憶部２２に記録する。管理サーバ２０の処理部２１は、作業端末１０から通知を受けた際、指図７０ごとに、作業開始時刻を、作業開始の旨の通知に含まれる時刻に基づき決定し、作業終了時刻を、作業終了の旨の通知に含まれる時刻に基づき決定し、作業開始時刻および作業終了時刻を指図７０ごとに記憶部２２に記録する。管理サーバ２０の処理部２１は、指図７０ごとの作業が終了した場合、記憶部２２に記録された作業開始時刻および作業終了時刻に基づいて作業時間を算出し、計測データに基づいて作業開始時刻から作業終了時刻までの使用電力を算出し、算出された作業時間と、算出された使用電力とを関連付けて、記憶部２２に登録することができる。
【００６９】
本実施形態では、製造に必要なエネルギー資源として、電力（あるいは電力量）として説明したが、これに限定されるものではない。他の製造に必要なエネルギー資源としては、ガス、燃料、水など各種あるが、同様に管理サーバ２０が使用するエネルギーを管理するとよい。
【００７０】
具体的には、エネルギー管理システムは、作業実績を収集し、作業実績を管理する管理サーバ２０と、作業エリアに配置された作業対象物品に供給されるエネルギーを計測し、該計測された計測データを管理サーバ２０に送信する計測器３０と、作業エリアの近傍に設置されており、作業対象物品の作業内容を特定する情報が書き込まれた作業特定用ＩＣタグ７１を置くＩＣタグ置場１５ａに付設され、そのＩＣタグ置場１５ａに置かれたＩＣタグの情報を読み取るＩＣタグ読取装置およびＩＣタグ読取装置が読み取った情報を管理サーバ２０へ送信する制御装置１２を有する作業端末１０とを備える。
【００７１】
作業端末１０は、作業特定用ＩＣタグ７１が添付された指図７０がＩＣタグ置場１５ａに載置された場合、作業特定用ＩＣタグ７１との通信を確認すると管理サーバ２０に作業開始の旨を通知し、載置された指図７０がＩＣタグ置場１５ａから除去された場合、作業特定用ＩＣタグ７１との通信の断絶を確認すると管理サーバ２０に作業終了の旨を通知する。
【００７２】
管理サーバ２０の処理部２１は、計測器３０からの計測データを、記憶部２２に記録し、作業端末１０から通知を受けた際、指図７０ごとに、作業開始時刻を、作業開始の旨の通知に含まれる時刻に基づき決定し、作業終了時刻を、作業終了の旨の通知に含まれる時刻に基づき決定し、作業開始時刻および作業終了時刻を指図７０ごとに記憶部２２に記録する。管理サーバ２０の処理部２１は、指図７０ごとの作業が終了した場合、記憶部２２に記録された作業開始時刻および作業終了時刻に基づいて作業時間を算出し、計測データに基づいて作業開始時刻から作業終了時刻までに供給されたエネルギー量を算出し、エネルギー量を作業時間で除算することにより指図７０の作業に必要なエネルギー消費原単位を算出し、算出された作業時間と、算出されたエネルギー消費原単位とを関連付けて、記憶部２２に登録することができる。
【００７３】
本実施形態では、管理サーバ２０の処理部２１は、計測器３０からの計測データを、記憶部２２に記録し、作業端末１０から通知を受けた際、指図７０ごとに、作業開始時刻を、作業開始の旨の通知に含まれる時刻に基づき決定し、作業終了時刻を、作業終了の旨の通知に含まれる時刻に基づき決定し、作業開始時刻および作業終了時刻を指図７０ごとに記憶部２２に記録する。管理サーバ２０の処理部２１は、指図７０ごとの作業が終了した場合、記憶部２２に記録された作業開始時刻および作業終了時刻に基づいて作業時間を算出しているとして説明したが、これに限定されるものではない。
【００７４】
図９は、作業管理システムの作業実績収集方法を示す説明図である。適宜図１を参照して説明する。管理者の運用方法には、各種の方法を考慮する必要がある。図９（ａ）は、実施形態１および実施形態２で示した方法であり、作業者は、作業開始時に指図７０をＩＣタグ置場１５ａに載置し、作業中はその状態を維持し、作業終了時に指図７０をＩＣタグ置場１５ａから除去する方法である。これに対し、図９（ｂ）は、作業開始時および作業終了時に、指図７０をＩＣタグ置場１５ａに載置および除去を繰り返す方法（タッチ＆ゴースタイル型の方法）である。
【００７５】
図９（ｂ）に示すタッチ＆ゴースタイル型の方法においては、作業端末１０は、指図７０がＩＣタグ置場１５ａに載置された場合、作業特定用ＩＣタグ７１との通信を確認すると、管理サーバ２０に通信開始の旨の通知を送信し、作業特定用ＩＣタグ７１との通信が断絶した場合に管理サーバ２０に通信終了の旨の通知を送信する。管理サーバ２０は、作業端末１０から通知を受けた際、指図７０ごとに、通信開始の旨の通知に含まれる通信開始時刻または通信終了の旨の通知に含まれる通信終了時刻を記憶部２２に記録する。管理サーバ２０は、同じ指図ＩＤにおいて、複数の通信開始時刻および通信終了時刻がある場合に、最初の通信開始時刻を作業開始時刻とし、最後の通信終了時刻を作業終了時刻として、作業時間を演算するとよい。具体的には、図９（ｂ）の場合においても、作業開始時刻は９時４５分であり、作業終了時刻は１０時３５分となり、作業時間は５０分である。これは、図６の行２５１で示した例と同一となる。
【００７６】
図１０は、管理サーバの記憶部に記録された工程別作業の作業実績収集データを示す説明図である。工程別作業は、図４に示した作業管理システムＳの処理に係る頁作業に対応する。図１０においては、工程別作業として試験別作業を例に、適宜、図１および図４を参照して説明する。
【００７７】
図１０（ａ）は、試験別作業として、試験項目１〜試験項目６と、試験設備１（図１のＵＰＳ１の試験設備エリア５０に対応）の計測器３０による計測データ（電力計データ）との関係を示す。作業エリアの作業者は、最初に作業者特定用ＩＣタグ８１（作業者タグ）が添付された社員証８０をＩＣタグ置場１５ａに置く。また、作業者は、ＵＰＳ６０の検査を開始する際に、作業特定用ＩＣタグ７１（指図タグ）が添付された指図７０を、作業台の上部に設置されているＩＣタグ置場１５ａに置く。すると、ＩＣタグリーダライタ１５は指図タグの載置を検知できたか否かを判定し（ステップＳ２０２）、指図タグの載置が検知された場合（ステップＳ２０２，Ｙｅｓ）、作業特定用ＩＣタグ７１から指図識別情報を読み取り、さらに作業者特定用ＩＣタグ８１から作業者識別情報を読み取り、制御装置１２において、作業開始情報を生成し、管理サーバ２０に送信する（ステップＳ２０３）。
【００７８】
管理サーバ２０は、受信したデータに基づいて作業開始情報を記憶部２２に記録する（ステップＳ３０１）。
【００７９】
管理サーバ２０は、指図７０の検査指示情報（頁識別情報（作業工程の管理識別情報）である頁ＩＤごとに対応する作業指示画面）を含む指図情報を作業端末１０に送信する（ステップＳ３０２）。作業端末１０の制御装置１２は、指図情報を受信すると、１頁目の作業指示画面である試験別作業図１を表示する（ステップＳ２０４）。
【００８０】
そして、作業端末１０の制御装置１２は、スイッチ１３の押下があるか否かを判定する（ステップＳ２０５）。制御装置１２は、スイッチ１３の押下を検知すると（ステップＳ２０５，Ｙｅｓ）、頁作業終了の情報を、管理サーバ２０に送信し（ステップＳ２０６）、次の頁の作業画面である試験別作業図２に更新を行い（ステップＳ２０７）、ステップＳ２０４に戻る。
【００８１】
管理サーバ２０は、受信したデータに基づいて頁作業終了情報を記憶部２２に記録する（ステップＳ３０３）。
【００８２】
ステップＳ２０５において、制御装置１２が、スイッチ１３の押下を検知できない場合（ステップＳ２０５，Ｎｏ），ＩＣタグリーダライタ１５は、ＩＣタグ置場１５ａから指図７０の除去を検知できたか否かを判定し（ステップＳ２０８）、指図７０の除去が検知された場合（ステップＳ２０８，Ｙｅｓ）、制御装置１２は、管理サーバ２０に、作業特定用ＩＣタグ７１との通信終了情報（作業終了情報）を送信し（ステップＳ２０９）、処理を終了する。一方、指図７０の除去が検知されない場合（ステップＳ２０８，Ｎｏ）、ステップＳ２０５に戻る。
【００８３】
管理サーバ２０は、受信したデータに基づいて作業終了情報を記憶部２２に記録し（ステップＳ３０４）、一連の処理を終了する。
【００８４】
試験項目ごとの終了時にスイッチ１３が押下される際に、タイムスタンプ（Time Stamp）が取得することができ、試験別作業ごとに作業時間が管理できる。なお、最後の試験項目（例えば、図１０の試験項目６）は、ステップＳ２０９における作業終了情報に含まれるタイムスタンプで作業時間を管理することができる。
【００８５】
一方、管理サーバ２０は、試験設備１の計測器３０により電力計データ１０１を取得している。
【００８６】
図１０（ｂ）は、試験項目別個別エネルギー情報と、試験全体エネルギー情報との関係を示す。管理サーバ２０の処理部２１は、指図７０の作業が終了した時点において、指図７０ごとに、試験全体エネルギー情報１０３（図１０（ｂ）の下図参照）である、計測データに基づいて作業開始時刻から作業終了時刻までの電力量（積算値）、電力ピーク値（Peak Load）、電力最小値(Ｍｉｎ)、電力平均値（Ａｖｅ）などを算出し、作業時間と関連付けて登録する。これが、指図７０ごとの試験原単位となる。
【００８７】
また、管理サーバ２０の処理部２１は、指図７０の作業が終了した時点において、指図７０に含まれる試験項目個別エネルギー情報１０２（図１０（ｂ）の上図参照）である、計測データに基づいて試験項目ごとに、電力量（積算値）、電力ピーク値（Peak Load）、電力最小値(Ｍｉｎ)、電力平均値（Ａｖｅ）などを算出し、作業時間と関連付けて登録する。これが、試験項目ごとの試験原単位となる。
【００８８】
このように、管理サーバ２０は、試験項目個別エネルギー情報１０２と、試験全体エネルギー情報１０３とを収集し、実際の試験時に得られたエネルギー消費の実績原単位を集計することができ（符号１０４）、原単位ＤＢ１０５として記憶部２２に登録することができる。
【００８９】
図１１は、ＵＰＳ性能特性用形式試験の試験項目を示す説明図である。図１２は、ＵＰＳ工場立会試験の試験項目を示す説明図である。図１０においては、試験項目１〜試験項目６として説明したが、ＵＰＳ６０の試験項目の例について、具体的に説明する。
【００９０】
図１１および図１２の試験項目は、ＪＩＳ４４１１−３に基づく工業規格での試験項目である。図１１に示す項番０１〜項番３６がＵＰＳ性能特性用形式試験の試験項目であり、図１２に示す項番３７〜項番６７がＵＰＳ工場立会試験の試験項目である。試験項目において、消費する電力量（消費電力量）などが大幅に異なる試験は、下記のものがある。
【００９１】
例えば、図１１の項番０７〜項番１０の出力試験は、無負荷であるか全負荷であるかで消費電力量が異なる。また、項番１３，１４の出力特性試験では、通常運転中に、全負荷定格を超える抵抗負荷を加えた試験であるので、さらに、消費電力量が異なる。また、ＵＰＳ６０の運転状態がバイパス給電へ切り替わることがあるので、消費電力量が異なる。項番２４の負荷急変試験は、ＵＰＳ６０を運転している状態で、２０％および８０％からなる２種類の負荷を用いて１００％負荷の有効分に相当する負荷を加える。ＵＰＳ６０が２０％負荷で運転中に、出力電力波形のピーク点で８０％負荷を加える。また、次に８０％負荷を遮断して負荷を２０％に急減する。このため、負荷変動に応じて、電力ピーク値の変動とともに、消費電力量が異なってくる。
【００９２】
図１２の項番３７〜項番４５は、ルーチン試験である。ルーチン試験は、規格に適合していることを確認するため、それぞれのＵＰＳ６０またはＵＰＳ機能ユニット（ＵＰＳ機能ユニットとして別々に出荷される場合）に対して、出荷前に行う試験であり、複数回の試験が実施される。そのうち、例えば、項番４１の交流入力停電試験および項番４２の交流入力復電試験は、交流入力の遮断、投入をするため、消費電力量が大幅に変動する。
【００９３】
他の項番の説明は省略するが、試験項目ごとに消費電力量などは異なるので、試験項目個別エネルギー情報１０２（図１０参照）を取得することは、生産計画における電力需要予測を評価する上で重要となる。
【００９４】
本実施形態の作業端末１０は、さらに、管理サーバ２０から受信した指図７０の作業工程に従い作業指示を表示する表示装置１４と、表示装置１４に表示された作業工程を作業者が切り替えるためのスイッチ１３とを有し、制御装置１２は、スイッチ１３の操作を検知したとき、作業工程の管理識別情報と、スイッチ１３の操作を検知した時刻とを関連付けて作業実績情報として管理サーバ２０に送信し、管理サーバ２０の処理部２１は、作業実績情報を受信すると、作業実績情報を記憶部２２に記録することができる。
【００９５】
管理サーバ２０の処理部２１は、指図７０ごとの作業が終了した場合、記憶部２２に記録された作業実績情報に基づいて検知した時刻から次に検知した時刻までの作業時間を算出し、計測データに基づいて検知した時刻から次に検知した時刻までの使用電力を算出し、算出された作業時間と算出された使用電力とを、作業工程の管理識別情報に関連付けて記憶部２２に登録することができる。
【００９６】
本実施形態のエネルギー管理システムにおける、作業端末１０は、さらに、管理サーバ２０から受信した指図７０の作業工程に従い作業指示を表示する表示装置１４と、表示装置１４に表示された作業工程を作業者が切り替えるためのスイッチ１３とを有し、制御装置１２は、スイッチ１３の操作を検知したとき、作業工程の管理識別情報と、スイッチ１３の操作を検知した時刻とを関連付けて作業実績情報として管理サーバ２０に送信し、管理サーバ２０の処理部２１は、作業実績情報を受信すると、作業実績情報を記憶部２２に記録することができる。
【００９７】
管理サーバ２０の処理部２１は、指図７０ごとの作業が終了した場合、記憶部２２に記録された作業実績情報に基づいて検知した時刻から次に検知した時刻までの作業時間を算出し、計測データに基づいて検知した時刻から次に検知した時刻までの供給されたエネルギー量を算出し、算出されたエネルギー量を算出された作業時間で除算することにより作業工程の作業に必要な作業工程のエネルギー消費原単位を算出し、算出された作業工程の作業時間と算出された作業工程のエネルギー消費原単位とを、作業工程に関連付けて記憶部２２に登録することができる。
【００９８】
次に、作業管理システムＳの作業工程管理処理について、図１３を参照して説明する。
図１３は、電力利用制限値に基づく作業工程の並べ替えを示すフローチャートである。適宜図１を参照して説明する。管理者が管理端末ＭＴから、所定期間内のＵＰＳ６０の検査試験場全体の電力制限値を入力すると、管理サーバ２０（処理部２１の作業工程管理部２１２）は、試験が予定されている複数の試験設備エリア５０の全体の電力利用制限値を超えない範囲で、試験設備エリア５０ごとの所定期間内の電力制限値を算出する（ステップＳ１３１）。そして、管理サーバ２０の処理部２１は、対象とする試験設備エリア５０の指図７０に含まれる複数の作業工程ごとの作業実績収集データ（図１０（ｂ）の試験項目個別エネルギー情報１０２）を読み込む（ステップＳ１３２）。
【００９９】
管理サーバ２０は、ステップＳ１３１で算出された所定期間内の電力制限値を超えない範囲内で、複数の作業工程の並び替え（並べ替え）を実施し（ステップＳ１３３）、並べ替え後の各作業工程で予定されている使用電力が、電力制限値内か否かを判定する（ステップＳ１３４）。管理サーバ２０は、電力制限値を超える時間帯がある場合（ステップＳ１３４，Ｎｏ）、該当する作業工程の開始時刻の調整を実施し（ステップＳ１３５）、ステップＳ１３４に戻る。管理サーバ２０は、全ての作業工程で電力制限値以下であれば（ステップＳ１３４，Ｙｅｓ）、作業工程の並べ替えの処理を終了する。
【０１００】
図１４は、電力利用制限値に基づく作業工程の並べ替えを示す説明図である。図１４（ａ）は、管理サーバ２０の記憶部２２に登録されている試験項目個別エネルギー情報１０２であり、図１０（ｂ）の上図に対応する。
【０１０１】
図１４（ｂ）は、電力利用制限値と、図１４（ａ）に示す作業工程における予定されている使用電力との関係を示す。試験項目１、試験項目２、試験項目３、・・・、試験項目６の順に作業工程を実施すると、試験項目３の作業工程において電力利用制限値を超えていることがわかる。なお、電力利用制限値は電力利用制限パターンともいう。
【０１０２】
図１４（ｃ）は、電力利用制限値内に収まるように、試験項目３、試験項目２、試験項目５、試験項目４、試験項目６、試験項目１の順に作業工程の並び替え（並べ替え）を示す。本実施形態では、作業工程である試験項目について、作業工程ごとにエネルギー消費原単位である消費パターンが予め取得できているので、その消費パターンを利用して電力利用制限値であるエネルギー利用制限値内に収まるように、並べ替えを実施することができる。
【０１０３】
図１４（ｂ）と、図１４（ｃ）に示す作業全体に必要なエネルギー量は同じであるが、作業工程の順番を替えることで、電力使用制限パターンを満足させることが可能となる。
【０１０４】
図１４（ｄ）は、図１４（ｃ）の並べ替えにともなう試験作業図の並べ替えを示す。図１４（ｄ）は、指図７０で指示される試験別作業図の順を示している。作業端末１０において、作業者が作業開始時に指図７０をＩＣタグ置場１５ａに載置すると、試験別作業図３、試験別作業図２、試験別作業図５、試験別作業図４、試験別作業図６、試験別作業図１の順に、表示装置１４に表示されることを意味する。
【０１０５】
組立工程用の工程別作業図では、組立性評価を行っているため、組立順番を入れ替えることは作業効率を悪化させる。一方、検査用の試験別作業図は、検査確認項目（図１１、図１２参照）は、機能検査や性能検査の機能ごとに作業を進めることができる。そのため、図１４（ｄ）のような、試験別作業図の入れ替えが可能となっている。
【０１０６】
図１５は、電力利用制限値に基づく作業工程の並べ替えの調整を示す説明図である。図１５は、図１４と同様に電力利用制限値に基づく作業工程の並べ替えを示すものであるが、図１５（ｂ）の電力利用制限値（電力利用制限パターン）が、図１４（ｂ）の電力利用制限値（電力利用制限パターン）と異なる。図１５（ｂ）は、管理者により電気料金単価の高い時間帯の電力利用制限を課した場合を想定している。
【０１０７】
例えば、電力会社が提案するピークシフトプランでは、電力量料金単価を夏季（７〜９月）は３つ、その他季（１０〜６月）は２つの時間帯に分けて設定している。具体的には、夏季（７〜９月）の場合、夜間時間（午後１１時から午前７時）は、９．１７円、昼間時間（午前７時から午後１時、午後４時から午後１１時）は、２６．５３円、ピーク時間（午後１時から午後４時）は、４４．６０円となっている。ピーク時間帯の料金が大幅に高いのが実情である。このような場合、ピーク時間帯の消費電力をできるだけ低減することにより、製品の製造コストの低減に寄与できる。
【０１０８】
図１５（ｂ）に示す電力利用制限値の場合、試験項目１、試験項目２、試験項目３、・・・、試験項目６の順に作業工程を実施すると、試験項目３および試験項目４の作業工程において電力利用制限値を超えていることがわかる。
【０１０９】
図１５（ｃ）は、電力利用制限値内に収まるように、試験項目３、試験項目２、試験項目５、試験項目４、試験項目６、試験項目１の順に作業工程の並び替え（並べ替え）をするとともに、作業工程の開始時間の調整をした例を示す。本実施形態では、試験項目５の作業工程終了後にすぐに、試験項目４の作業工程を開始するのではなく、開始時間を遅らせている。
【０１１０】
図１５（ｄ）は、図１５（ｃ）の並べ替えにともなう試験作業図の並べ替えを示す。図１５（ｄ）は、図１４（ｄ）と同様に、指図７０で指示される試験別作業図の順は同じであるが、試験別作業図４に注意書きとして、開始時刻（吹き出し参照）が明記されている。
【０１１１】
本実施形態のエネルギー管理システムは、作業工程を管理する管理サーバ２０と、作業場所に設置され、管理サーバ２０から受信した作業工程を表示する表示装置１４、表示装置１４に表示された作業工程を作業者が切り替えるためのスイッチ１３、および該スイッチ１３の操作が検出された時刻と作業工程の管理識別情報（例えば、頁ＩＤ）を関連付けて作業実績情報として管理サーバ２０へ送信する制御装置１２を有する作業端末１０と、作業場所に配置された作業対象物品に供給されるエネルギーを計測し、該計測された計測データを管理サーバ２０に送信する計測器３０と、を備えている。
【０１１２】
管理サーバ２０は、受信した作業実績情報と計測データとに基づいて、作業工程の管理識別情報ごとに、エネルギー消費原単位として単位時間あたりの使用電力を算出するとともに、作業工程の作業時間を算出して記憶部２２に登録し、所定期間内のエネルギー利用の制限値を受理した際に、作業工程の管理識別情報ごとのエネルギー消費原単位と作業時間とに基づいて、所定期間内のエネルギー利用の制限値を満たすように、作業工程を並べ替えることができる。
【０１１３】
作業端末１０の制御装置１２は、スイッチ１３の操作を検知したとき、作業工程の管理識別情報と、スイッチ１３の操作を検知した時刻とを関連付けて作業終了情報として管理サーバ２０に送信し、管理サーバ２０は、作業終了情報を受信すると、作業終了情報を記憶部２２に記録し、記憶部２２に記憶された直前の作業終了情報に含まれる時刻から今回受信した作業終了情報に含まれる時刻までの作業時間を算出し、計測データに基づいて直前の作業終了情報に含まれる時刻から今回受信した作業終了情報に含まれる時刻までの使用電力を算出し、算出された作業時間と算出された使用電力とを、作業工程の管理識別情報に関連付けて記憶部２２に登録することができる。これにより、作業工程ごとの作業時間、使用電力などを精度よく把握することができる。
【符号の説明】
【０１１４】
１０    作業端末
１１    通信機
１２    制御装置
１３    スイッチ
１４    表示装置
１５    ＩＣタグリーダライタ
１５ａ  ＩＣタグ置場
２０    管理サーバ
２１    処理部
２２    記憶部
２５    データ表
３０    計測器
３１    負荷開閉器
４０    指図発行端末
４１    指図発行部
４２    タグ発行部
５０    試験設備エリア（作業場所）
５１    負荷試験器
５２    電源引き込み線
６０    ＵＰＳ（作業対象物品）
６１    ＵＰＳ本体
６２    蓄電池部
６３    コンバータ
６４    インバータ
６５    バイパス回路
６６    保守バイパス回路
７０    指図
７１    作業特定用ＩＣタグ
８０    社員証
８１    作業者特定用ＩＣタグ
９０    ネットワーク
１０１  電力計データ
１０２  試験項目個別エネルギー情報
１０３  試験全体エネルギー情報
Ｓ      作業管理システム
ＭＴ    管理端末
【図１】
2014056385.tif 000003
【図２】
2014056385.tif 000004
【図３】
2014056385.tif 000005
【図４】
2014056385.tif 000006
【図５】
2014056385.tif 000007
【図６】
2014056385.tif 000008
【図７】
2014056385.tif 000009
【図８】
2014056385.tif 000010
【図９】
2014056385.tif 000011
【図１０】
2014056385.tif 000012
【図１１】
2014056385.tif 000013
【図１２】
2014056385.tif 000014
【図１３】
2014056385.tif 000015
【図１４】
2014056385.tif 000016
【図１５】
2014056385.tif 000017